(57)【要約】【課題】装置の大型化を防止するとともに、コストの上昇を抑制することができる内部保温手段を備えた貨幣処理機を提供する。【解決手段】装置の筐体２と、その内部に設けられ貨幣を搬送、収納する機構部２７と、電源部１５と、電源部１５を冷却する送風ファン１６と、その駆動手段１６ａと、機構部２周囲の温度を検出する温度センサ２１と、駆動手段１６ａを制御する制御部２０と、筐体２の内外部を連通する通風口部２３と、を備えた貨幣処理機であって、電源部１５を熱源とし、制御部２０は少なくとも温度センサ２１により検出された温度が予め定められた温度以下の場合、送風ファン１６による電源部２０の冷却により加温された空気を筐体２内部に循環させ、その内部を保温する。【選択図】      図２
2010286968.tif 000002
【特許請求の範囲】
【請求項１】
装置の外郭を構成する筐体と、前記筐体内部にそれぞれ配置され、貨幣を搬送、収納する機構部と、電源を供給する電源部と、前記電源部を冷却する送風ファンと、前記送風ファンを駆動するファン駆動手段と、前記機構部周囲の温度を検出する温度センサと、前記ファン駆動手段を制御する制御部と、前記筐体の内部と外部を連通する通風口部と、を備えた貨幣処理機であって、前記電源部を熱源とし、前記制御部は少なくとも前記温度センサにより検出された温度が予め定められた温度以下の場合、前記送風ファンによる前記電源部の冷却により加温された空気を前記筐体内部に循環させることを特徴とする貨幣処理機。
【請求項２】
請求項１記載の貨幣処理機において、前記制御部は、前記温度センサの温度検出結果に基づいて、前記ファン駆動手段を制御することにより、前記送風ファンを正転または逆転駆動し、前記送風ファンを正転駆動するとき、前記電源部を冷却する空気を前記通風口部を介して前記筐体外部に排出し、前記送風ファンを逆転駆動するとき、前記通風口部を介して前記筐体外部から空気を取り入れ、これを前記電源部に送風してこれを冷却し、その冷却により加温された空気を前記筐体内に循環させることを特徴とする貨幣処理機。
【請求項３】
請求項１記載の貨幣処理機において、前記送風ファンは、前記電源部を冷却する空気を前記通風口部を介して前記筐体外部に排出する排気送風ファンと、前記通風口部を介して前記筐体外部から内部に空気を取り入れ、これにより前記電源部を冷却する吸気送風ファンとからなり、前記制御部は、前記温度センサの温度検出結果に基づいて、前記ファン駆動手段を制御することにより、前記排気送風ファンまたは前記吸気送風ファンのいずれか一方を駆動し、前記吸気送風ファンを駆動するとき、前記電源部の冷却により加温された空気を前記筐体内に循環させることを特徴とする貨幣処理機。
【請求項４】
請求項１記載の貨幣処理機において、前記通風口部を開閉する通風口開閉手段を更に備え、前記制御部は前記温度センサの温度検出結果に基づいて、前記ファン駆動手段，前記通風口開閉手段を制御し、前記温度センサにより検出された温度が予め定められた温度以下の場合、前記通風口開閉手段により前記通風口部を閉塞して前記送風ファンによる前記電源部の冷却により加温された空気を前記筐体内部に循環させることを特徴とする貨幣処理機。
【発明の詳細な説明】
【技術分野】
【０００１】
本発明は、小売店やガソリンスタンド等のレジ等に設置され、顧客等から受け取った貨幣を収納庫に収納するとともに、出金指示により収納庫から釣銭を出金する貨幣処理機に関し、特にその周囲の温度が低下した場合に、内部を保温する保温手段を備えたものに関する。
【背景技術】
【０００２】
従来のこのような貨幣処理機としては、先に公開された特開２０００−３３０６４８号公報(特許文献１)に記載されるような自動取引機（ＡＴＭ）が知られている。この特許文献1に記載される自動取引機は、装置を構成する各機能部を動作保障温度に保温するものであって、装置内に配置される各機能部の周囲に配置される複数の温度センサと、それらの各機能部を保温する複数のヒータと、その各々のヒータがオン、オフする温度を各々の温度センサに対してそれぞれ設定した温度設定情報テーブルと、各温度センサの検知した温度に基づきその温度設定情報テーブルを参照してそれに対応するヒータのオン、オフを制御する温度制御部を有するものである。そして、このような構成の自動取引機によれば、複数の温度センサとヒータとを装置内の各機能部に配置し、それぞれの周囲温度に応じ温度設定情報テーブルを参照してその温度センサに対応するヒータをオン、オフするので、装置内の温度が一定でない場合も、各機能部の保温制御を適宜に行うことができる。また各機能部の周囲温度をそれぞれ小ユニット別に温度制御し、それらを余分に暖めたりすることが無いため、無駄な消費電力を省いて、省エネ化を図ることができるというものである。
【先行技術文献】
【特許文献】
【０００３】
【特許文献１】特開２０００−３３０６４８号公報
【発明の概要】
【発明が解決しようとする課題】
【０００４】
ところで、このような従来の自動取引機においては、装置の筐体内部にヒータを複数配置して各機能部の温度の低下を防止するため、装置の形状が大型化する問題があった。また、各機能部に配置した複数のヒータを個別に制御するため、その制御が複雑でコストが上昇する問題があった。
本発明は、このような問題に対応するため、装置内部の保温のための専用部品（ヒータなど）を除去して、装置の大型化を防止するとともに、コストの上昇を抑制することができる貨幣処理機を提供することを目的とするものである。
【課題を解決するための手段】
【０００５】
上記課題を解決するため、請求項１に係る発明は、装置の外郭を構成する筐体と、前記筐体内部にそれぞれ配置され、貨幣を搬送、収納する機構部と、電源を供給する電源部と、前記電源部を冷却する送風ファンと、前記送風ファンを駆動するファン駆動手段と、前記機構部周囲の温度を検出する温度センサと、前記ファン駆動手段を制御する制御部と、前記筐体の内部と外部を連通する通風口部と、を備えた貨幣処理機であって、前記電源部を熱源とし、前記制御部は少なくとも前記温度センサにより検出された温度が予め定められた温度以下の場合、前記送風ファンによる前記電源部の冷却により加温された空気を前記筐体内部に循環させるものである。
これによれば、前記温度センサにより検出された温度が予め定められた温度以下の場合は、前記送風ファンによる前記電源部の冷却により加温された空気を前記筐体内部に循環させ、前記機構部を保温することができる。
【０００６】
また、請求項２に係る発明は、請求項１記載の発明において、前記制御部は、前記温度センサの温度検出結果に基づいて、前記ファン駆動手段を制御することにより、前記送風ファンを正転または逆転駆動し、前記送風ファンを正転駆動するとき、前記電源部を冷却する空気を前記通風口部を介して前記筐体外部に排出し、前記送風ファンを逆転駆動するとき、前記通風口部を介して前記筐体外部から空気を取り入れ、これを前記電源部に送風してこれを冷却し、その冷却により加温された空気を前記筐体内に循環させるものである。
これによれば、前記温度センサにより検出された前記機構部周囲の温度が、予め定められた温度以上の場合は、前記送風ファンを正転駆動し、前記電源部を冷却する空気を前記通風口部を介して前記筐体外部に排出し、また、前記温度センサにより検出される前記機構部周囲の温度が、予め定められた温度以下の場合は、前記送風ファンを逆転駆動し、前記通風口部を介して前記筐体外部から内部に空気を取り入れ、これを前記電源部に送風してこれを冷却し、その冷却により加温された空気を前記筐体内に循環させ、前記機構部を保温することができる。
【０００７】
また、請求項３に係る発明は、請求項１記載の発明において、前記送風ファンは、前記電源部を冷却する空気を前記通風口部を介して前記筐体外部に排出する排気送風ファンと、前記通風口部を介して前記筐体外部から内部に空気を取り入れ、これにより前記電源部を冷却する吸気送風ファンとからなり、前記制御部は、前記温度センサの温度検出結果に基づいて、前記ファン駆動手段を制御することにより、前記排気送風ファンまたは前記吸気送風ファンのいずれか一方を駆動し、前記吸気送風ファンを駆動するとき、前記電源部の冷却により加温された空気を前記筐体内に循環させるものである。
これによれば、前記温度センサにより検出された前記機構部周囲の温度が、予め定められた温度以上の場合は、前記排気送風ファンを駆動し、前記電源部を冷却する空気を前記通風口部を介して前記筐体外部に排出し、また、前記温度センサにより検出される前記機構部周囲の温度が、予め定められた温度以下の場合は、前記吸気送風ファンを駆動し、前記通風口部を介して前記筐体外部から内部に空気を取り入れ、これにより前記電源部を冷却し、その冷却により加温された空気を前記筐体内に循環させ、前記機構部を保温することができる。
【０００８】
また、請求項４に係る発明は、請求項１記載の発明において、前記通風口部を開閉する通風口開閉手段を更に備え、前記制御部は前記温度センサの温度検出結果に基づいて、前記ファン駆動手段，前記通風口開閉手段を制御し、前記温度センサにより検出された温度が予め定められた温度以下の場合、前記通風口開閉手段により前記通風口部を閉塞して前記送風ファンによる前記電源部の冷却により加温された空気を前記筐体内部に循環させるものである。
これによれば、前記温度センサにより検出された前記機構部周囲の温度が、予め定められた温度以下の場合は、前記通風口を閉塞し、前記送風ファンにより前記電源部を冷却する空気を前記筐体内部に循環させ、その冷却により加温された空気によって前記機構部を保温することができる。
【発明の効果】
【０００９】
以上説明したように請求項１乃至請求項４に係る発明によれば、機構部周囲の温度を検出する温度センサにより検出された温度が、予め定められた温度以下の場合は、送風ファンにより電源部を冷却する空気を筐体内部に循環させ、その加温された空気により機構部を保温することができるから、機構部を保温するためのヒータ等の部品を特別に備える必要がない。また、従来のように保温用に特別に備えたヒータ等の加熱手段を制御する必要がないから、その制御が簡単である。
したがって、装置の大型化を防止するとともに、その構成を簡単にしてコストの上昇を抑制することができる貨幣処理機を提供することができる。
【図面の簡単な説明】
【００１０】
【図１】本発明の第一の実施の形態の貨幣処理機の外観を示す斜視図である。
【図２】本発明の第一の実施の形態の貨幣処理機の内部構成を示す内部構成平面図である。
【図３】本発明の第一の実施の形態の貨幣処理機の正面断面図である。
【図４】本発明の第一の実施の形態の貨幣処理機の筐体上面にＰＯＳ端末機を設置した状態を示す斜視図である。
【図５】本発明の第二の実施の形態の貨幣処理機の内部構成を示す内部構成平面図である。
【図６】本発明の第三の実施の形態の貨幣処理機の内部構成を示す内部構成平面図である。
【発明を実施するための形態】
【００１１】
（第一の実施形態）本発明の実施の形態について図を参照して説明する。図１は、本発明の第一の実施の形態の貨幣処理機の外観を示す斜視図、図２は、本発明の第一の実施の形態の貨幣処理機の内部の構成を示す内部構成平面図、図３は、本発明の第一の実施の形態の貨幣処理機の正面断面図である。また、本発明の実施の形態の貨幣処理機は、図４に示すように筐体の上面の上にＰＯＳ端末機を設置できるものである。
図に示すように、本発明の第一の実施の形態の貨幣処理機１の前面パネル１ａの右半分には、紙幣の長手辺に相当するスリット状の紙幣入金口３と、その下に紙幣長手辺に相当するスリット状の第２の紙幣出金口（五千円札用紙幣出金口）５と、最下位に紙幣長手辺に相当するスリット状の第１の紙幣出金口（千円札用紙幣出金口）４とが形成されている。第１の紙幣出金口４の両端には紙幣端受４ａ，４ｂが突設されており、この第１の紙幣出金口４に出金された紙幣を掬い持てるようにその間に中抜き間４ｃが形成されている。他方、前面パネル１ａの左半分において、右側上部に複数の金種の硬貨を一括投入可能の受皿状の硬貨入金口７が設けられ、左側下部には複数の金種の硬貨が一括投出される受皿状の硬貨出金口８が設けられている。
【００１２】
また、本第一の実施の形態の貨幣処理機１に置いては、図２に示すように、右半分を紙幣入出金処理部１１が、左半分を硬貨入出金処理部１２がそれぞれ占有しており、背面側は、交流電源を直流電源に変換して各部に供給する電源部１５と、この電源部１５を冷却する冷却ファン（送風ファン）１６と、装置の制御基板等を搭載する制御部２０とが占めている。なお、冷却ファン１６は装置の外郭を構成する筐体２の背面２ｄに沿って設けられ、電源部１５はこの冷却ファン１６の手前側に隣接して配設されている。また、冷却ファン１６は駆動モータ（ファン駆動手段）１６ａを内蔵し、これと対向する筐体２の背面２ｄには、筐体２内部と外部を連通するスリット形状の通風路（通風口部）２３が設けられている。
紙幣入出金処理部１１および硬貨入出金処理部１２は、図３に示すように一つのベースフレーム１０の上に搭載されている。ベースフレーム１０には前面パネル１ａが組み付けられ、ベースフレーム１０の両側板１０ｂ，１０ｃと装置の外郭を形成する筐体２の側面２ｂ，２ｃとの狭間には引出レール２５が前後方向に延びて敷設されている。そして、紙幣入出金処理部１１と硬貨入出金処理部１２を搭載するベースフレーム１０は装置の筐体２に対して前後方向に挿抜可能な構成となっている。これにより、紙幣入出金処置部１１あるいは、硬貨入出金処理部１２に異常のある場合は、ベースフレーム１０を筐体２から手前に引き出して、これらを露出させ、異常個所の点検作業を迅速に行うことができる。
【００１３】
紙幣入出金処理部１１は、図２に示すように前面パネル１ａの紙幣入金口３に紙幣短手方向で挿入された紙幣を奥側（背部方向）へ搬入する紙幣入庫搬送部（機構部）２７と、投入された紙幣を順次上に積重ねて整列収納する紙幣収納庫２８と、その紙幣収納庫２８内から最下位の紙幣を一枚ずつ分離して奥方向へ繰出す紙幣分離繰出部２９と、繰り出された紙幣を前方へ搬出する紙幣搬送部３０と、紙幣搬送部３０を搬送される紙幣を図示しない識別部により識別し、その識別結果に基づいて前面パネル１ａの第1の紙幣出金口４、または第二の紙幣出金口５に導く紙幣出金搬送部３１と、を備えている。
紙幣入庫搬送部２７は、紙幣入金口３に挿入された紙幣を奥側へ搬入する引込ベルト３４と、紙幣収納庫２８の入庫口の近傍で入来する紙幣を紙幣収納庫２８へ叩き落す弾性羽根３５ａを設けた羽根車３５と、この羽根車３５と同軸に設けられ、紙幣を紙幣収納庫２８へ搬入する搬送プーリ３６等から構成されている。また、紙幣収納庫２８は、水平置き型で、前側に入庫口（図示なし）を、後側に出庫口（図示なし）をそれぞれ備えている。また、紙幣分離繰出部２９は、紙幣収納庫２８の底面に突入させ、紙幣堆積物の底面に摩擦接触させて出庫口から最下位の紙幣を奥方向に蹴り出すキックローラ３８と、紙幣収納庫２８の後側においてローラ周面の一部に高摩擦係数部材を付けた摩擦圧接駆動ローラ（フィードローラ）３９と、周囲の一部に高摩擦係数材を設け偏心して回転することにより、摩擦圧接駆動ローラ３９の働きを補足する間欠送り摩擦ローラ４０とを有している。なお、図に示すように、キックローラ３８、間欠送り摩擦ローラ４０及び摩擦圧接駆動ローラ３９は、モータＭ１を駆動源とし、タイミングベルトＢ１〜Ｂ３を介して同期回転するようになっている。また、紙幣搬送部３０は、主に排出搬送ベルト４２で構成され、紙幣収納庫２８から奥方向に繰り出された紙幣を奥方向位置で反転させて前方へ折り返して戻すように構成されている。なお、排出搬送ベルト４２はモータＭ２によりタイミングベルトＢ4を介して駆動プーリ４３が回転駆動されることにより駆動される。また、紙幣搬送部３０は、排出搬送ベルト４２と帰還ベルト４４等により搬送される紙幣を、紙幣出金搬送部３１を介して第１の紙幣出金口４、又は第２の紙幣出金口５に導くように構成され、その際に、紙幣出金搬送部３１はモータＭ３を駆動源としてタイミングベルトＢ５を介して駆動される図示しない搬出ベルト等を備える。
【００１４】
このように構成される紙幣入出金処理部１１における紙幣入金処理においては、紙幣入金口３に紙幣が短辺方向に挿入されると、モータＭ３が起動して引き込みベルト３４が駆動され、紙幣がこれにより引き込まれて奥方向に搬送され紙幣収納庫２８に積重ね収納され、入庫処理が完了する。また、紙幣の出金処理時においては、モータＭ１〜Ｍ３が起動し、紙幣分離繰出部２９により紙幣収納庫２８の底面から１枚ずつ紙幣が奥方向へ繰り出され、奥方向に繰り出された紙幣は、折り返されて下方に反転され前方に搬送される。そして、図示しない識別部で紙幣の金種が識別され、千円札と識別された場合は第１の紙幣出金口４に排出され、五千円札と識別された場合は第２の紙幣出金口５に排出される。
硬貨入出金処理部１２は、前面パネル１ａの硬貨入金口７に一括投入された複数枚の硬貨を１枚ずつ分離して後方へ繰り出す硬貨分離繰出部５１と、１枚ずつ繰り出された硬貨を後方へ搬送しながら硬貨を金種毎に選別する硬貨選別部５２と、選別された硬貨を金種別に整列収納する硬貨収納部５３と、硬貨収納部５３から硬貨を１枚ずつ繰り出す硬貨繰出部５４と、各硬貨繰出部５４から繰り出された硬貨を前面パネル１ａの硬貨出金口８に搬送する硬貨出金搬送部５５とから構成されている。
【００１５】
硬貨分離繰出部５１は、硬貨入金口７の底面を形成し、装置の奥方向に延びた硬貨入金搬送ベルト５７と、この硬貨入金搬送ベルト５７上の山積み硬貨を崩して硬貨を一層一列に整列させる逆転ローラ（リバースローラ）５８と、この逆転ローラ５８の後方側に設けられた幅寄せガイド５９とを有している。また、硬貨選別部５２は、硬貨入金搬送ベルト５７の端から装置の奥方向に延びる硬貨滑り通路面６１と、この硬貨滑り通路面６１上の硬貨を上から押え付けながら奥方向へ滑り搬送する搬送丸ベルト６２と、硬貨側端を幅寄せ規制して案内する基準レール６３と、硬貨滑り通路面６１の前部から奥方向に沿って形成された金種別の硬貨用選別穴６４とを有している。なお、硬貨入金搬送ベルト５７、逆転ローラ５８及び搬送丸ベルト６２は、モータＭ４を駆動源とし、タイミングベルトＢ６を介して同期回転する。また、硬貨出金搬送部５５は、金種別の硬貨収納部５３から硬貨繰出部５４により繰り出された硬貨を起立状態で搬送する幅狭硬貨搬送部であり、移動床面を構成する硬貨搬送ベルト６６を有している。なお、硬貨搬送ベルト６６は、モータＭ５を駆動源としてタイミングベルトＢ７を介して駆動される。また、この硬貨搬送ベルト６６の前端には硬貨出金口８に通じる硬貨案内路６７が設けられている。
【００１６】
このように構成される硬貨入出金処理部１２における硬貨入出金処理においては、金種の異なる複数枚の硬貨が硬貨入金口７に一挙に投入される。投入された硬貨は硬貨入金搬送ベルト５７と逆転ローラ５８とによって１枚ずつ後方へ繰り出され幅寄せガイド５９により通過軌跡が修正される。そして、硬貨押し込み用の搬送丸ベルト６２で基準レール６３に沿って硬貨滑り通路面６１上を滑り搬送され、搬送硬貨の外形に相当する硬貨用選別穴６４に至ったとき、その硬貨用選別穴６４に落下する。そしてこのように選別された硬貨はそれぞれに対応して設けられた硬貨収納部５３に整列して収納される。また、硬貨出金処理においては、硬貨繰出部５４の何れかが動作して硬貨収納部５３から硬貨が放出されて硬貨出金搬送部５５の硬貨搬送ベルト６６上に落下する。硬貨搬送ベルト６６上に落下した硬貨は起立姿勢に維持されて、硬貨出金口８まで高速搬送される。なお、硬貨搬送ベルト６６の表面には、硬貨回り止め突起６６ａが形成されているため、起立姿勢の硬貨が硬貨搬送ベルト６６上で転動することなく高速で搬送される。
【００１７】
ここで、電源部１５から遠く離れて配置され、紙幣入金口３に挿入された紙幣を搬送、収納する紙幣入庫搬送部２７を構成する引き込みベルト３４の周囲には、その周囲の温度を検出する温度センサ２１が設けられている。そして、この貨幣処理機１の稼動中において、制御部２０は、この温度センサ２１により温度を計測し、その温度が例えば５℃以上の場合は、筐体２内部の空気を、通風路２３を介して外へ吐き出すように冷却ファン１６を正回転駆動し電源部１５を冷却する。また、その計測温度が例えば０℃以下の場合は、筐体２の通風路２３を介して外部から空気を取り込むように冷却ファン１６を逆回転駆動し、電源部１５によりこの取込空気を加温して筐体２内部に循環させ、筐体２内部を保温するように冷却ファン１６を制御する。また、温度センサ２１の計測温度が例えば０℃から５℃の間にある場合は、筐体２内部の空気を通風路２３を介して外へ吐き出すように冷却ファン１６を間欠駆動し、電源部１５を適宜に冷却するように冷却ファン１６を制御する。なお、制御部２０は、例えば温度センサ２１による計測温度が３℃以上の場合は、筐体２内部の空気を外へ吐き出すように冷却ファン１６を正回転駆動し、その計測温度が３℃未満の場合は、筐体２の外部から空気を取り込むように冷却ファンを逆回転駆動するように冷却ファン１６の駆動を制御しても良い。
【００１８】
以上のように、本発明の第一の実施の形態の貨幣処理機１においては、温度センサ２１により検出される紙幣入庫搬送部２７の周囲の温度が、予め定められた温度以上の場合は、冷却ファン１６を正回転駆動し、電源部１５を冷却する空気を筐体２背面の通風路２３を介して筐体２外部に排出し、また、温度センサ２１により検出される紙幣入庫搬送部２７の周囲の温度が、予め定められた温度以下の場合は、冷却ファン１６を逆回転駆動し、通風路２３を介して筐体２外部から内部に空気を取り入れ、これにより電源部１５を冷却し、その冷却により加温された空気を筐体２内に循環させ、紙幣入庫搬送部２７等の機構部を構成するベルト等を保温することができる。したがって、例えば貨幣処理機１が使用温度範囲よりも低温の環境におかれた場合にも、電源部１５により加温された空気を筐体２内に循環させることで、装置内部の機構部を構成するベルト等をなるべく使用温度の範囲内に保温することができるから、温度の低下によるベルトの硬化等を防止して装置の故障を少なくし、使い勝手の良い貨幣処理機を提供することができる。また、従来機のように保温用のヒータ等の加熱手段を特別に配置し、これらを制御する必要がないから、装置の大型化を防止するとともに、その構成を簡単にしてコストの上昇を抑制することができる貨幣処理機を提供することができる。
【００１９】
（第二の実施形態）図５は、本発明の第二の実施の形態の貨幣処理機の内部の構成を示す内部構成平面図である。なお、本発明の第二の実施の形態の貨幣処理機１Ｂの外観、及び正面断面構成は、本発明の第一の実施形態の貨幣処理１機と同様である。
図に示すように、本発明の第二の実施形態の貨幣処理機1Ｂに置いては、前記の第一の実施形態の貨幣処理機１と同様に、右半分を紙幣入出金処理部１１が、左半分を硬貨入出金処理部１２がそれぞれ占有しており、背面側は、交流電源を直流電源に変換して装置各部に供給する電源部１５と、この電源部１５を冷却する二つの冷却ファン（排気送風ファン）１７，冷却ファン（吸気送風ファン）１８と、装置の制御基板等を搭載する制御部２０とが占めている。なお、二つの冷却ファン１７，１８は装置の外郭を構成する筐体２の背面２ｄに沿って並べて配設され、電源部１５はこの冷却ファン１７，１８に沿って手前側に配設されている。また、二つの冷却ファンの１７，１８一方は、筐体２内部の空気を外部に排出する排気ファンとして設けられ、他方は外部の空気を筐体内部に取り込む吸気ファンとして設けられている。さらに二つの冷却ファン１７，１８はそれぞれ駆動モータ（ファン駆動手段）１７ａ，１８ａを内蔵し、これらと対向する筐体２背面には、筐体２内部と外部を連通する例えばスリット形状の通風路２３が設けられている。
【００２０】
また、第一の実施形態の貨幣処理機1と同様に、電源部１５から遠く離れて配置され、紙幣入金口３に挿入された紙幣を搬送、収納する紙幣入庫搬送部２７を構成する引き込みベルト３４の周囲には、その周囲の温度を検出する温度センサ２１が設けられている。そして、この貨幣処理機１Ｂの稼動中において、制御部２０は、この温度センサ２１により温度を計測し、その温度が例えば５℃以上の場合は、筐体２内部の空気を外へ吐き出すように一方の冷却ファン１７を回転駆動して電源部１５を冷却し、またその計測温度が例えば０℃以下の場合は、筐体２の外部から空気を取り込むように他方の冷却ファン１８を回転駆動し、電源部１５によりこの取込空気を加温して筐体２内部に循環させ筐体２内部を保温するように、二つの冷却ファン１７，１８を制御する。また、温度センサ２１の計測温度が例えば０℃から５℃の間にある場合は、筐体２内部の空気を外へ吐き出すように一方の冷却ファン１７を間欠駆動して電源部１５を、適宜に冷却するように冷却ファン１７を制御する。なお、制御部２０は、例えば温度センサ２１による計測温度が３℃以上の場合は、筐体２内部の空気を外へ吐き出すように一方の冷却ファン１７を回転駆動し、その計測温度が３℃未満の場合は、筐体２の外部から空気を取り込むように他方の冷却ファン１８を回転駆動するように冷却ファン１７，１８の駆動を制御しても良い。
【００２１】
以上のように、本発明の第二の実施の形態の貨幣処理機１Ｂにおいては、温度センサ２１により検出される紙幣入庫搬送部２７の周囲の温度が、予め定められた温度以上の場合は、一方の冷却ファン１７を駆動し、電源部１５を冷却する空気を筐体２背面の通風路２３を介して筐体２外部に排出し、また、温度センサ２１により検出される紙幣入庫搬送部２７の周囲の温度が、予め定められた温度以下の場合は、他方の冷却ファン１８を駆動し、筐体２背面の通風路２３を介して筐体２外部から内部に空気を取り入れ、これにより電源部１５を冷却し、その加温された空気を筐体２内に循環させ、紙幣入庫搬送部２７等の機構部を保温することができる。したがって、第一の実施の形態の貨幣処理機１と同様に、装置が使用温度範囲よりも低温の環境におかれた場合にも、装置内部の機構部を構成するベルト等を使用温度の範囲内に保温することができるから、温度の低下によるベルトの硬化等を防止して装置の故障を少なくし、使い勝手の良い貨幣処理機を提供することができる。また、排気ファン１７と吸気ファン１８をそれぞれ別々に設けることで、ファン効率を高め、効果的に筐体２内部を保温し、また電源部１５を冷却することができる品質の良い貨幣処理機を提供することができる。
【００２２】
（第三の実施形態）図６は、本発明の第三の実施の形態の貨幣処理機の内部の構成を示す内部構成平面図である。なお、本発明の第三の実施の形態の貨幣処理機１Ｃの外観、及び正面断面構成は、本発明の第一の実施形態の貨幣処理機１と同様である。
図に示すように、本発明の第三の実施形態の貨幣処理機１Ｃに置いては、前記の第一の実施形態の貨幣処理機１と同様に、右半分を紙幣入出金処理部１１が、左半分を硬貨入出金処理部１２がそれぞれ占有しており、背面側は、交流電源を直流電源に変換して装置各部に供給する電源部１５と、この電源部１５を冷却する冷却ファン（送風ファン）１９と、装置の制御基板等を搭載する制御部２０とが占めている。なお、冷却ファン１９は装置の外郭を構成する筐体２の背面２ｄと間隔を設けて対向して配設され、電源部１５はこの冷却ファン１９の手前側に設けられている。また、冷却ファン１９は駆動モータ（ファン駆動手段）１９ａを内蔵し、これらと対向する筐体２背面２ｄには、筐体２内部と外部を連通する例えばスリット形状の通風路２３が設けられている。また、この通風路２３には、これを開閉するシャッタ部（通風口開閉手段）２４が併設されている。
【００２３】
また、第一の実施形態の貨幣処理機１と同様に、電源部１５から遠く離れて配置され、紙幣入金口３に挿入された紙幣を搬送、収納する紙幣入庫搬送部２７を構成する引き込みベルト３４の周囲には、その周囲の温度を検出する温度センサ２１が設けられている。そして、この貨幣処理機１Ｃの稼動中において、制御部２０は、この温度センサ２１により温度を計測し、その温度が例えば５℃以上の場合は、シャッタ部２４を開放して冷却ファン１９を回転駆動し、筐体２内部の空気を外へ吐き出すようにして電源部１５を冷却し、またその計測温度が例えば０℃以下の場合は、シャッタ部２４を閉塞して冷却ファン１９を回転駆動し、冷却ファン１９と間隔を設けて対向する筐体２背面２ｄに沿って空気が内部を循環するようにし、電源部１５によりこの空気を加温して筐体２内部を保温するように、シャッタ部２４および冷却ファン１９を制御する。また、温度センサ２１の計測温度が例えば０℃から５℃の間にある場合は、シャッタ部２４を開放して冷却ファン１９を間欠駆動し、筐体２内部の空気を間欠的に外へ吐き出すようにして電源部１５を、適宜に冷却するようにシャッタ部２４と冷却ファン１９を制御する。なお、制御部２０は、例えば温度センサ２１による計測温度が３℃以上の場合は、シャッタ部２４を開放して筐体２内部の空気を外へ吐き出すように冷却ファン１９を回転駆動し、その計測温度が３℃未満の場合は、シャッタ部２４を閉塞して筐体２の内部の空気を循環させるように冷却ファン１９を回転駆動するように、シャッタ部２４および冷却ファン１９の駆動を制御しても良い。
【００２４】
以上のように、本発明の第三の実施の形態の貨幣処理機１Ｃにおいては、温度センサ２１により検出される紙幣入庫搬送部２７の周囲の温度が、予め定められた温度以上の場合は、シャッタ部２４を開放して冷却ファン１９を駆動し、電源部１５を冷却する空気を筐体２背面の通風路２３を介して筐体２外部に排出し、また、温度センサ２１により検出される紙幣入庫搬送部２７の周囲の温度が、予め定められた温度以下の場合は、シャッタ部２４を閉塞して冷却ファン１９を駆動し、冷却ファン１９と隙間を設けて対向する筐体２背面に沿って空気を内部に循環させ、この筐体２内部を循環する空気を電源部１５により加温して紙幣入庫搬送部２７等の機構部を保温することができる。したがって、第一の実施の形態の貨幣処理機１と同様に、装置が使用温度範囲よりも低温の環境におかれた場合にも、装置内部の機構部を構成するベルト等を使用温度の範囲内に保温することができるから、温度の低下によるベルトの硬化等を防止して装置の故障を少なくし、使い勝手の良い貨幣処理機１Ｃを提供することができる。また、シャッタ部２４を閉塞し、電源部１５により筐体２内部の空気を加温しながら、それを筐体２内部に循環させて機構部を構成するベルト等を保温することができるから、効率良く筐体２内部を保温することができる貨幣処理機を提供することができる。
【００２５】
なお、本発明は、言うまでもなく本実施の形態に示す装置にのみ限定されず、その趣旨の包含する範囲で応用変更が可能である。例えば、冷却ファン１６，１７，１８，１９や電源部１５の配置構成、紙幣入庫搬送部２７等の機構部の周囲に設けられる温度センサ２１の配設位置等は、装置内部の紙幣入出金処理部１１や硬貨入出金処理部１２等の配置構成により適宜に設定されれば良く、本実施形態に示すものに限定されるものではない。
【符号の説明】
【００２６】
１  貨幣処理機
２  筐体
１１  紙幣入出金処理部
１２  硬貨入出金処理部
１５  電源部
１６  冷却ファン（送風ファン）
１６ａ  駆動モータ（ファン駆動手段）
１７  冷却ファン（排気送風ファン）
１７ａ  駆動モータ（ファン駆動手段）
１８  冷却ファン（吸気送風ファン）
１９ａ  駆動モータ（ファン駆動手段）
１９  冷却ファン（送風ファン）
１９ａ  駆動モータ（ファン駆動手段）
２０  制御部
２１  温度センサ
２３  通風路（通風口部）
２４  シャッタ部（通風口開閉手段）
２７  紙幣入庫搬送部（機構部）
【図１】
2010286968.tif 000003
【図２】
2010286968.tif 000004
【図３】
2010286968.tif 000005
【図４】
2010286968.tif 000006
【図５】
2010286968.tif 000007
【図６】
2010286968.tif 000008